(57)【要約】【課題】システム側が自動的にその場の状況を判断し、提示するのに適切なユーザ情報とその場には不適切なユーザ情報を判別し、適切な方法でユーザ情報を提示することができるユーザ情報提示方法及びユーザ情報提示システムを提供する。【解決手段】端末２からユーザＩＤ及び端末情報を受信する受信ステップと、ユーザＩＤに基づき提示対象のユーザ情報を決定するステップと、提示対象のユーザ情報に係る特殊性評価値を算出するステップと、端末情報に基づきプライバシー保護レベルを決定するプライバシー保護レベル決定ステップと、特殊性評価値及びプライバシー保護レベルに基づき、端末２に提示対象のユーザ情報をフィルタリングするステップと、フィルタリングした提示対象のユーザ情報を、端末２に送信するステップと、を含むことを特徴とする。【選択図】図５
2014154022.tif 000002
【特許請求の範囲】
【請求項１】
端末からユーザＩＤ及び端末情報を受信する受信ステップと、
前記ユーザＩＤに基づき提示対象のユーザ情報を決定するステップと、
前記提示対象のユーザ情報に係る特殊性評価値を算出するステップと、
前記端末情報に基づきプライバシー保護レベルを決定するプライバシー保護レベル決定ステップと、
前記特殊性評価値及び前記プライバシー保護レベルに基づき、前記端末に前記提示対象のユーザ情報をフィルタリングするステップと、
フィルタリングした前記提示対象のユーザ情報を、前記端末に送信するステップと、
を含むことを特徴とするユーザ情報提示方法。
【請求項２】
前記フィルタリングするステップにおいて、前記プライバシー保護レベルが所定値以上である場合、前記提示対象のユーザ情報のうち、前記特殊性評価値が所定評価値以上のユーザ情報を提示対象から除外することを特徴とする、請求項１に記載のユーザ情報提示方法。
【請求項３】
前記フィルタリングするステップにおいて、前記プライバシー保護レベルが所定値以上である場合、前記提示対象のユーザ情報のうち、前記特殊性評価値が所定評価値以上のユーザ情報を前記端末上で表示する位置、大きさ、フォント、色、メディアの少なくとも１つを変更することを特徴とする、請求項１又は２に記載のユーザ情報提示方法。
【請求項４】
前記フィルタリングするステップにおいて、前記プライバシー保護レベルが所定値以上である場合、前記提示対象のユーザ情報のうち、前記特殊性評価値が所定評価値以上のユーザ情報をダミー情報に変更することを特徴とする、請求項１乃至３のいずれか一項に記載のユーザ情報提示方法。
【請求項５】
端末とサーバとを備えるユーザ情報提示システムであって、
前記端末は、ユーザＩＤ及び端末情報を前記サーバに送信し、
前記サーバは、
前記ユーザＩＤに基づき提示対象のユーザ情報を決定し、前記提示対象のユーザ情報に係る特殊性評価値を算出し、前記端末情報に基づきプライバシー保護レベルを決定し、
前記特殊性評価値及び前記プライバシー保護レベルに基づき、前記端末に前記提示対象のユーザ情報をフィルタリングし、
フィルタリングした前記提示対象のユーザ情報を、前記端末に送信することを特徴とするユーザ情報提示システム。
【発明の詳細な説明】
【技術分野】
【０００１】
本発明は、適切な方法でユーザ情報を提示することができるユーザ情報提示方法及びユーザ情報提示システムに関する。
【背景技術】
【０００２】
従来から、ユーザのプライバシーを保護しつつユーザに係る情報（ユーザの個人情報、プロフィール、Ｗｅｂ等検索履歴、及びこれらから導出されるレコメンド情報、コンテンツ推薦等。以下「ユーザ情報」という。）を利用し、個人化されたコンテンツ推薦など、ユーザに最適化されたサービス提供を可能とする技術がある。例えば特許文献１においては、ユーザ情報を個人が特定できない仮想ユーザＩＤに変換しサーバに送信することで、プライバシーを保護している。当該技術では、サーバからのユーザ情報の漏洩や、端末を紛失した際の端末からのユーザ情報漏洩など、事故や犯罪により、本来は権限のない第三者がユーザ情報を抜き出してしまう事態を想定している。
【０００３】
一方で、ネットワーク技術の浸透により、様々な端末機器がネットワークに接続するようになっている。例えば非特許文献１に示すように、例えばテレビがネットワーク接続し、ユーザに最適化されたサービスを提供するようになってきている。
【先行技術文献】
【特許文献】
【０００４】
【特許文献１】特許第４２２７０７２号公報
【非特許文献】
【０００５】
【非特許文献１】総務省、“スマートテレビの推進に向けて―スマートテレビの推進に向けた基本戦略―”、２０１２年６月、[online]、[２０１２年１２月２７日検索]、インターネット<URL: http://www.soumu.go.jp/main_content/000168945.pdf>
【発明の概要】
【発明が解決しようとする課題】
【０００６】
しかしながら、テレビなどの複数人で視聴できるデバイスにおいて、ユーザ情報に基づく個人化サービスを提供した際に、従来技術では解決できない問題が起こる。従来技術により、サーバや端末（テレビ）、ネットワーク経路上で第三者による不正なアクセスが防止されたとしても、個人化されたサービスをテレビなどの複数人が視聴できる共用型の端末で利用するだけで、もしその周辺にユーザが自身のユーザ情報を知って欲しくない第三者がいた場合、その端末に表示されたユーザ情報は漏洩してしまう。例えば、ユーザの趣味・嗜好そのものが表示されなくても、それに基づくコンテンツ推薦が表示されるだけでも、推薦結果を見ればユーザの趣味・嗜好が推定できるため、それらの情報は漏洩することとなる。このような事態を防ぐため、ユーザ自身が、どの情報をどの端末で利用して良いか、事前にポリシーを指定することも考えられるが、昨今はユーザ情報が多岐にわたりその量も膨大であるため、現実的ではない。
【０００７】
従って、上記のような問題点に鑑みてなされた本発明の目的は、システム側が自動的にその場の状況を判断し、提示するのに適切なユーザ情報とその場には不適切なユーザ情報を判別し、適切な方法でユーザ情報を提示することができるユーザ情報提示方法及びユーザ情報提示システムを提供することにある。
【課題を解決するための手段】
【０００８】
上記課題を解決するために本発明に係るユーザ情報提示方法は、
端末からユーザＩＤ及び端末情報を受信する受信ステップと、
前記ユーザＩＤに基づき提示対象のユーザ情報を決定するステップと、
前記提示対象のユーザ情報に係る特殊性評価値を算出するステップと、
前記端末情報に基づきプライバシー保護レベルを決定するプライバシー保護レベル決定ステップと、
前記特殊性評価値及び前記プライバシー保護レベルに基づき、前記端末に前記提示対象のユーザ情報をフィルタリングするステップと、
フィルタリングした前記提示対象のユーザ情報を、前記端末に送信するステップと、
を含むことを特徴とする。
【０００９】
また、本発明に係るユーザ情報提示システムは、
端末とサーバとを備えるユーザ情報提示システムであって、
前記端末は、ユーザＩＤ及び端末情報を前記サーバに送信し、
前記サーバは、
前記ユーザＩＤに基づき提示対象のユーザ情報を決定し、前記提示対象のユーザ情報に係る特殊性評価値を算出し、前記端末情報に基づきプライバシー保護レベルを決定し、
前記特殊性評価値及び前記プライバシー保護レベルに基づき、前記端末に前記提示対象のユーザ情報をフィルタリングし、
フィルタリングした前記提示対象のユーザ情報を、前記端末に送信することを特徴とする。
【発明の効果】
【００１０】
本発明におけるユーザ情報提示方法及びユーザ情報提示システムによれば、システム側が自動的にその場の状況を判断し、提示するのに適切なユーザ情報とその場には不適切なユーザ情報を判別し、適切な方法でユーザ情報を提示することができる。
【図面の簡単な説明】
【００１１】
【図１】本発明の一実施形態に係るユーザ情報提示システムのブロック図である。
【図２】ユーザ情報データベースの例である。
【図３】端末データベースの例である。
【図４】ユーザ情報評価データベースの例である。
【図５】本発明の一実施形態に係るユーザ情報提示システムの動作を示すフローチャートである。
【図６】本発明の一実施形態に係るフィルタリング処理を示すフローチャートである。
【発明を実施するための形態】
【００１２】
以下、本発明の実施の形態について説明する。
【００１３】
（実施の形態）
図１は本発明の一実施形態に係るユーザ情報提示システムのブロック図である。図１はユーザ情報である各ユーザの趣味、嗜好に関連するキーワードを取得し、また当該キーワードにより検索されたＷＷＷサイトのレコメンドに係る情報を提示対象のユーザ情報として提示する例を示す。本発明の一実施形態に係るユーザ情報提示システムは、サーバ１と、端末２と、ＷＷＷサーバ３（Ｗｏｒｌｄ Ｗｉｄｅ Ｗｅｂサーバ３）とを備える。
【００１４】
サーバ１は、ユーザ情報提示手段１１と、ユーザ情報データベース（ＤＢ）１２と、端末情報収集手段１３と、端末データベース（ＤＢ）１４と、ユーザ情報評価手段１５と、ユーザ情報評価データベース（ＤＢ）１６と、ユーザ情報フィルタ手段１７とを備える。
【００１５】
ユーザ情報提示手段１１は、端末２からユーザＩＤを受信し、当該ユーザＩＤに基づきユーザ情報であるユーザが関心のあるキーワードを決定する。そしてユーザ情報提示手段１１は該キーワードに基づきＷＷＷサイトのレコメンド情報を収集し、該ユーザ情報を端末２に提示する。ここでユーザＩＤとは、本システムにおいて端末２のユーザを一意に特定するための識別子である。好適にはユーザ情報提示手段１１は、端末２からのＨＴＴＰアクセスによりユーザＩＤを受信する。
【００１６】
具体的にはユーザ情報提示手段１１は、端末２からユーザＩＤを受信した場合、まず該ユーザＩＤに基づき、ユーザ情報ＤＢ１２から該ユーザＩＤに係る情報を取得する。本実施の形態では当該情報は、ユーザが関心のあるキーワードのリスト（以下、関心キーワードリストという。）である。
【００１７】
またユーザ情報提示手段１１は、関心キーワードリストを取得した後に、ＷＷＷサーバ３にアクセスする。そしてユーザ情報提示手段１１は、関心キーワードリストの各キーワードを指定してＷＷＷページを検索し、該キーワードに関連する複数のＷＷＷサイトの情報（以下、関連ＷＷＷサイト情報という。）を取得する。関連ＷＷＷサイト情報は、関連ＷＷＷサイトの識別子であるＵＲＬ（Ｕｎｉｖｅｒｓａｌ Ｒｅｓｏｕｒｃｅ Ｌｏｃａｔｏｒ）と、当該関連ＷＷＷサイトで表示されるテキスト情報とを含む。当該関連ＷＷＷサイト情報が、提示対象のユーザ情報である。なお関心キーワードリストの内容、数等によっては関連ＷＷＷサイト情報の数は膨大となる。好適にはこの場合、検索された上位の所定数のＷＷＷページを関連ＷＷＷサイト情報とする。そしてユーザ情報提示手段１１は、取得した関連ＷＷＷサイト情報をつなげたリスト（以下、関連ＷＷＷサイト情報リストという。）をユーザ情報評価手段１５に渡す。
【００１８】
またユーザ情報提示手段１１は、ユーザ情報フィルタ手段１７からフィルタ済みの関連ＷＷＷサイト情報リストを受取り、該フィルタ済みの関連ＷＷＷサイト情報リストを端末２に提示する。好適にはユーザ情報提示手段１１は、フィルタ済みの関連ＷＷＷサイト情報リストを閲覧し易いように適宜加工して端末２に提示する。
【００１９】
ユーザ情報ＤＢ１２は、ユーザＩＤと、関心キーワードリストとを対応付けて格納するデータベースである。図２にユーザ情報ＤＢ１２に格納されている各ユーザＩＤの関心キーワードリストの例を示す。図２に示すように、ユーザ情報ＤＢ１２には例えば、ユーザＩＤ“ＵＩＤ００１”、関心キーワードリスト“キーワード１、キーワード２、キーワード３”を含む。
【００２０】
端末情報収集手段１３は、端末２から端末情報を受信し、該端末情報に基づきプライバシー保護レベルを決定する。端末情報とは、例えば端末の機種ＩＤである。機種ＩＤとは、本システムにおいて端末２の機種を一意に特定する識別子である。好適には端末情報収集手段１３は、端末２からユーザ情報提示手段１１へユーザＩＤを通知するためのＨＴＴＰアクセスがあった際に、該ＨＴＴＰアクセスのＵｓｅｒ Ａｇｅｎｔ情報から取得する。また端末情報収集手段１３は、受信した端末情報に基づき、端末ＤＢ１４から端末機種種別情報を取得する。端末機種種別とは端末２の機種種別を示す情報であり、例えば“スマートフォン”、“タブレット”、“スマートテレビ”、“パソコン”等である。
【００２１】
プライバシー保護レベルとは、プライバシー保護をすべき程度を表す値であり、所定値以上（例えば１以上）の場合、プライバシーを保護すべき端末であることを示し、所定値未満である場合（例えば０である場合）、プライバシーを保護する必要が無い端末であることを示す。例えば端末情報収集手段１３は、端末機種種別が“スマートフォン”又は“パソコン”等の個人端末である場合、プライバシー保護レベルを０と決定する。一方、端末情報収集手段１３は、端末機種種別が“タブレット”又は“スマートテレビ”等の共用の可能性のある端末である場合、プライバシー保護レベルを１と決定する。
【００２２】
そして端末情報収集手段１３は、決定したプライバシー保護レベルを、ユーザ情報フィルタ手段１７に渡す。
【００２３】
端末ＤＢ１４は、端末情報及び端末機種種別情報とを対応付けて格納するデータベースである。図３に端末ＤＢ１４に格納される端末情報と端末機種種別情報の例を示す。図３に示すように、例えば端末ＩＤ“ＵＴ００１”、端末機種種別情報“タブレット”等が格納される。
【００２４】
ユーザ情報評価手段１５は、ユーザ情報提示手段１１から受取ったユーザ情報に対して特殊性評価値を算出することにより各ユーザ情報を評価する。特殊性評価値とは、ユーザがどの程度ユーザのプライバシー保護の観点からセンシティブな情報であるかを示す評価値であり、所定値以上（例えば１以上）である場合は当該ユーザ以外の者に提示すべきではないことを示す。なお特殊性評価値はこれに限られず、ユーザ情報がどの程度会社等の機密情報保護の観点からセンシティブな情報であるかを示す評価値等であってもよい。つまり特殊性評価値は、どの程度ユーザ情報がプライバシー保護の観点や機密情報保護等の観点から特殊であるかを示す評価値であればよい。
【００２５】
具体的には例えばユーザ情報評価手段１５は、ユーザ情報提示手段１１から受取った関連ＷＷＷサイト情報リストに含まれる各関連ＷＷＷサイト情報中のテキスト情報における各単語に対する特殊度を求める。特殊度とは、例えば人前で提示することが望ましくない単語には１、そうでないものは０を付与する。ユーザ情報評価手段１５は、ユーザ情報評価ＤＢ１６から各単語の特殊度の情報を取得する。そしてユーザ情報評価手段１５は、特殊度の合計が所定の閾値以上（例えば１０以上）の関連ＷＷＷサイト情報に対して、特殊性評価値を１とする。一方ユーザ情報評価手段１５は、特殊度の合計が所定の閾値未満の関連ＷＷＷサイト情報に対して、特殊性評価値を０とする。そしてユーザ情報評価手段１５は、関連ＷＷＷサイト情報リスト及び各関連ＷＷＷサイト情報に対応する特殊性評価値を、ユーザ情報フィルタ手段１７に渡す。
【００２６】
ユーザ情報評価ＤＢ１６は、ユーザ情報評価手段１５が各ユーザ情報を評価するための情報を格納するデータベースである。具体的には例えばユーザ情報評価ＤＢ１６は、単語と該単語に対応する特殊度を関連付けて格納する。図４にユーザ情報評価ＤＢに格納される情報の例を示す。図４に示すように、ユーザ情報評価ＤＢ１６は、例えば単語“単語Ａ”、特殊度“１”が対応付けられて格納する。特殊度は、単語の倫理的観点（犯罪や差別など）や社会的観点（病気や性など）により適宜定義する。
【００２７】
ユーザ情報フィルタ手段１７は、プライバシー保護レベルを端末情報収集手段１３から受取る。またユーザ情報フィルタ手段１７は、関連ＷＷＷサイト情報リストと、各関連ＷＷＷサイト情報に対応する特殊性評価値をユーザ情報評価手段１５から受取る。そしてユーザ情報フィルタ手段１７は、プライバシー保護レベル及び特殊性評価値に基づき、端末２に提示する対象の関連ＷＷＷサイト情報をフィルタリングする。
【００２８】
具体的にはユーザ情報フィルタ手段１７は、プライバシー保護レベルが０である場合、全関連ＷＷＷサイト情報を、提示対象の情報としてユーザ情報提示手段１１に渡す。一方、プライバシー保護レベルが１である場合、関連ＷＷＷサイト情報リストのうち、特殊性評価値が０である関連ＷＷＷサイト情報を提示対象とし、特殊性評価値が１である関連ＷＷＷサイト情報をフィルタリングしてユーザ情報提示手段１１に渡す。例えばユーザ情報フィルタ手段１７は、特殊性評価値が１である関連ＷＷＷサイト情報を提示対象から除外する。
【００２９】
なおユーザ情報フィルタ手段１７は、特殊性評価値が１である関連ＷＷＷサイト情報に関し、端末２上で表示する位置、大きさ、色、フォント、メディア（文字による表示、画像による表示、又は音声による提示等）の少なくとも１つを変更し、該変更後の関連ＷＷＷサイト情報を提示対象の情報としてユーザ情報提示手段１１に渡してもよい。この場合、ユーザ情報フィルタ手段１７は、例えば関連ＷＷＷサイトにおいて該ユーザの氏名が表示されており、当該氏名の表示位置が、ユーザに見やすい位置（例えばＷＷＷサイトの上部）である場合、当該ユーザの氏名を表示する位置を、ユーザに見えにくい位置（例えば当該ＷＷＷサイトの下部）に変更する。あるいは当該ユーザの氏名を小さい大きさの文字や、視認が容易でない色に変更する。
【００３０】
なおユーザ情報フィルタ手段１７は、特殊性評価値が１である関連ＷＷＷサイト情報に関し、ダミー情報に変更し、該変更後の関連ＷＷＷサイト情報を提示対象の情報としてユーザ情報提示手段１１に渡してもよい。ダミー情報とは、ユーザ情報とは関連しない文字列、記号等の情報である。例えば、ユーザ情報フィルタ手段１７は、例えば関連ＷＷＷサイトにおいて該ユーザの氏名が表示されている場合、当該氏名をふせ字やアスタリスクによる表示（“＊＊＊＊＊”等）に変更する。
【００３１】
なおユーザ情報フィルタ手段１７は、特殊性評価値が１である関連ＷＷＷサイト情報に関し、単語をより一般的な意味を持つ上位概念の別の単語に変更し、該変更後の関連ＷＷＷサイト情報を提示対象の情報としてユーザ情報提示手段１１に渡してもよい。この場合、ユーザ情報フィルタ手段１７は、例えば関連ＷＷＷサイトにおいて該ユーザの年齢情報として“３８歳”が表示されている場合、当該年齢情報を“３０代”に変更する。
【００３２】
端末２は、サーバ１と無線又は有線の少なくとも一方により通信をする。具体的には端末２は、ユーザによる操作部の操作に基づき、関連ＷＷＷサイト情報を取得するためにサーバ１にユーザＩＤ及び端末ＩＤを送信する。端末２の操作部は、ボタン、タッチパネル等により構成され、ユーザからの入力信号を受け付ける。
【００３３】
また端末２は表示部を備え、液晶ディスプレイ、有機ＥＬディスプレイ等により構成され、サーバ１により提示される関連ＷＷＷサイト情報を表示する。
【００３４】
次に、本発明の一実施形態に係るユーザ情報提示システムについて、図５に示すフローチャートによりその動作を説明する。
【００３５】
はじめに端末２は、ユーザによる操作部の操作に基づき、サーバ１にユーザＩＤ及び端末ＩＤを送信する（ステップＳ１）。サーバ１のユーザ情報提示手段１１及び端末情報収集手段１３は、各々ユーザＩＤ及び端末ＩＤを受信する。
【００３６】
次にサーバ１のユーザ情報提示手段１１は、端末２からユーザＩＤを受信した場合、該ユーザＩＤに基づき、ユーザ情報ＤＢ１２から該ユーザＩＤに係る情報として関心キーワードリストを取得する（ステップＳ２）。
【００３７】
また端末情報収集手段１３は、端末２から端末情報を受信し、該端末情報に基づき端末ＤＢ１４から端末機種種別情報を取得し、該端末機種種別情報によりプライバシー保護レベルを決定する（ステップＳ３）。端末情報収集手段１３は、決定したプライバシー保護レベルを、ユーザ情報フィルタ手段１７に渡す。
【００３８】
続いてユーザ情報提示手段１１は、関心キーワードリストを取得した後に、ＷＷＷサーバ３にアクセスする。そしてユーザ情報提示手段１１は、関心キーワードリストの各キーワードを指定してＷＷＷページを検索し（ステップＳ４）、関連ＷＷＷサイト情報を取得する（ステップＳ５）。そしてユーザ情報提示手段１１は、取得した関連ＷＷＷサイト情報をつなげた関連ＷＷＷサイト情報リストをユーザ情報評価手段１５に渡す。
【００３９】
続いてユーザ情報評価手段１５は、ユーザ情報提示手段１１から受取った関連ＷＷＷサイト情報リストの各関連ＷＷＷサイト情報に対して特殊性評価値を算出する（ステップＳ６）。具体的にはユーザ情報評価手段１５は、ユーザ情報提示手段１１から受取った各関連ＷＷＷサイト情報に含まれるテキスト情報中の各単語に対する特殊度を求める。特殊度とは、例えば人前で提示することが望ましくない単語には１、そうでないものは０を付与する。ユーザ情報評価手段１５は、ユーザ情報評価ＤＢ１６から各単語の特殊度に係る情報を取得する。そしてユーザ情報評価手段１５は、特殊度の合計が所定の閾値以上（例えば１０以上）の関連ＷＷＷサイト情報に対して、特殊性評価値を１とする。一方ユーザ情報評価手段１５は、特殊度の合計が所定の閾値未満の関連ＷＷＷサイト情報に対して、特殊性評価値を０とする。そしてユーザ情報評価手段１５は、関連ＷＷＷサイト情報リスト及び各関連ＷＷＷサイト情報対応する特殊性評価値を、ユーザ情報フィルタ手段１７に渡す。
【００４０】
続いてユーザ情報フィルタ手段１７は、プライバシー保護レベル及び特殊性評価値に基づき、端末２に提示する対象の関連ＷＷＷサイト情報をフィルタリングする（ステップＳ７）。当該フィルタリングに係る処理の詳細を図６に示す。
【００４１】
図６に示すように、まずユーザ情報フィルタ手段１７は、端末情報収集手段１３から受取ったプライバシー保護レベルが所定値以上（例えば１以上）であるか否かを判定する（ステップＳ７０１）。プライバシー保護レベルが所定値以上であると判定した場合、ユーザ情報フィルタ手段１７は、各関連ＷＷＷサイト情報の特殊性評価値が所定値以上（例えば１以上）であるか否かを判定する（ステップＳ７０２）。そしてユーザ情報フィルタ手段１７は特殊性評価値が所定値以上であると判定した関連ＷＷＷサイト情報について、フィルタリングをする（ステップＳ７０３）。そしてフィルタリング処理が終了する。
【００４２】
一方、ステップＳ７０１においてプライバシー保護レベルが所定値以上でないと判定した場合、及びステップＳ７０２において特殊性評価値が所定値以上であると判定した関連ＷＷＷサイト情報に関して、ユーザ情報フィルタ手段１７はフィルタリングを行わない（ステップＳ７０４）。そしてフィルタリング処理が終了する。
【００４３】
フィルタリング処理の後、ユーザ情報提示手段１１は、ユーザ情報フィルタ手段１７からフィルタ済みの関連ＷＷＷサイト情報リストを受取り、該関連ＷＷＷサイト情報リストを端末２に提示する（ステップＳ８）。
【００４４】
このように本発明の一実施形態に係るユーザ情報提示システムによれば、サーバ１の端末情報収集手段１３により端末機種から状況を把握してプライバシー保護レベルを決定することにより、ユーザが予めポリシー等指定する必要なく、システム側が自動的にその場の状況を判断することができる。またユーザ情報評価手段１５が各ユーザ情報の特殊性評価値を評価し、ユーザ情報フィルタ手段１７がプライバシー保護レベル及び特殊性評価値により提示するのに適切なユーザ情報とその場には不適切なユーザ情報を判別するため、適切な方法でユーザ情報を提示することができる。
【００４５】
なお、本実施の形態においては、端末２がＨＴＴＰのＵｓｅｒＡｇｅｎｔにより端末ＩＤを端末情報として送信する例を示したが、端末情報はこれに限られない。例えば端末２にマイク、カメラ等が搭載されている場合、端末情報として、マイク、カメラ等による音声、映像情報等を端末情報としてサーバ１に送信してもよい。この場合、サーバ１の端末情報収集手段１３は、端末ＩＤに加えて音声、映像情報等に基づき、より詳細にプライバシー保護レベルを決定することが可能となる。例えば端末情報収集手段１３は、端末２のマイク、カメラ等からの音声、映像等によりその場に何人の人物が存在するかを判定する。そして端末情報収集手段１３は、１人しか存在しないと判定した場合、端末ＩＤに関わらずプライバシー保護レベルを０と設定してもよい。また端末情報収集手段１３は、２人以上存在すると判定した場合、端末ＩＤに関わらずプライバシー保護レベルを１と設定してもよい。
【００４６】
なお本実施の形態においては、プライバシー保護レベルは、０又は１のいずれかの値に決定するとしたがプライバシー保護レベルは２値に限られず、３値以上の値としてもよい。この場合、プライバシー保護レベルに応じて提示対象のユーザ情報を段階的に制限するようにしてもよい。同様に特殊性評価値は、０又は１のいずれかの値に決定するとしたが、特殊性評価値は２値に限られず、３値以上の値としてもよい。この場合も同様に、特殊性評価値に応じて、提示対象のユーザ情報を段階的に制限するようにしてもよい。
【００４７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００４８】
１  サーバ
２  端末
３  ＷＷＷサーバ
１１  ユーザ情報提示手段
１２  ユーザ情報データベース（ＤＢ）
１３  端末情報収集手段
１４  端末データベース（ＤＢ）
１５  ユーザ情報評価手段
１６  ユーザ情報評価データベース（ＤＢ）
１７  ユーザ情報フィルタ手段
【図１】
2014154022.tif 000003
【図２】
2014154022.tif 000004
【図３】
2014154022.tif 000005
【図４】
2014154022.tif 000006
【図５】
2014154022.tif 000007
【図６】
2014154022.tif 000008